(57)【要約】      （修正有）【課題】複数のインターフェースを同時に用いて映像機器間の連携制御を行う際に、インターフェースに繋がる別の機器から連携制御を妨げるような信号を識別して排除できる映像表示装置及び再生装置を提供する。【解決手段】再生装置からの映像情報を受信し表示する装置において、再生装置との間で情報の送受信を行う第１及び第2のインターフェースで受信した映像情報を表示する表示回路を有し、第１のインターフェースを介して再生装置へ接続の確認を行う第１の接続確認信号を送信し、第１の接続確認信号に対する応答信号を受信し、第２のインターフェースを介して再生装置へ接続の確認を行う第２の接続確認信号を送信し、第２の接続確認信号に対する応答信号を受信し、第１及び第２の接続確認信号に対する応答信号を受信した場合、再生装置との間において第１のインターフェース及び第２のインターフェースを利用する機能を利用可能な構成にする。【選択図】図２
2013085052.tif 000002
【特許請求の範囲】
【請求項１】
再生装置から送信された映像情報を受信し、当該映像情報を表示する表示装置であって、
前記再生装置との間で情報の送受信を行う第１のインターフェースと、
前記再生装置との間で情報の送受信を行う第２のインターフェースと、
前記第１のインターフェース及び／または前記第２のインターフェースで受信した映像情報を表示する表示回路と、を有し、
前記第１のインターフェースを介して前記再生装置へ接続の確認を行う第１の接続確認信号を送信し、当該第１の接続確認信号に対する応答信号を受信し、
前記第２のインターフェースを介して前記再生装置へ接続の確認を行う第２の接続確認信号を送信し、当該第２の接続確認信号に対する応答信号を受信し、
前記第１の接続確認信号に対する応答信号及び前記第２の接続確認信号に対する応答信号を受信した場合、前記再生装置との間において前記第１のインターフェース及び前記第２のインターフェースを利用する機能を利用可能とすることを特徴とする表示装置。
【請求項２】
請求項１の表示装置であって、
前記第１の接続確認信号に対する応答信号の受信と前記第２の接続確認信号に対する応答信号の受信との間隔が所定の範囲内であった場合に、前記第１のインターフェース及び前記第２のインターフェースを利用する機能を利用可能と判定することを特徴とする表示装置。
【請求項３】
再生装置から送信された映像情報を受信し、当該映像情報を表示する表示装置であって、
前記再生装置との間で情報の送受信を行う第１のインターフェースと、
前記再生装置との間で情報の送受信を行う第２のインターフェースと、
前記第１のインターフェース及び／または前記第２のインターフェースで受信した映像情報を表示する表示回路と、を有し、
前記第１のインターフェースを介して前記再生装置へ接続の確認を行う第１の接続確認信号を送信し、当該第１の接続確認信号に対する応答信号を受信し、
前記第２のインターフェースを介して前記再生装置へ接続の確認を行う第２の接続確認信号を送信し、当該第２の接続確認信号に対する応答信号を受信し、
前記第１の接続確認信号に対する応答信号の受信と前記第２の接続確認信号に対する応答信号の受信との間隔が所定の範囲内であった場合に、前記再生装置と前記表示装置とが前記第１のインターフェース及び前記第２のインターフェースで接続されていると判定することを特徴とする表示装置。
【請求項４】
請求項３の表示装置であって、
前記所定の間隔は、１〜１０００ｍｓｅｃ±１〜２０ｍｓｅｃであることを特徴とする表示装置。
【請求項５】
映像情報を再生し、当該映像情報を表示装置へ送信する再生装置であって、
映像情報を再生する再生部と、
前記表示装置との間で情報の送受信を行う第１のインターフェースと、
前記表示装置との間で情報の送受信を行う第２のインターフェースと、を有し、
前記第１のインターフェースを介して前記表示装置へ接続の確認を行う第１の接続確認信号を送信し、当該第１の接続確認信号に対する応答信号を受信し、
前記第２のインターフェースを介して前記表示装置へ接続の確認を行う第２の接続確認信号を送信し、当該第２の接続確認信号に対する応答信号を受信し、
前記第１の接続確認信号に対する応答信号及び前記第２の接続確認信号に対する応答信号を受信した場合、前記表示装置との間において前記第１のインターフェース及び前記第２のインターフェースを利用する機能を利用可能とすることを特徴とする再生装置。
【請求項６】
請求項５の再生装置であって、
前記第１の接続確認信号に対する応答信号の受信と前記第２の接続確認信号に対する応答信号の受信との間隔が所定の範囲内であった場合に、前記第１のインターフェース及び前記第２のインターフェースを利用する機能を利用可能と判定することを特徴とする再生装置。
【請求項７】
映像情報を再生し、当該映像情報を表示装置へ送信する再生装置であって、
映像情報を再生する再生部と、
前記表示装置との間で情報の送受信を行う第１のインターフェースと、
前記表示装置との間で情報の送受信を行う第２のインターフェースと、を有し、
前記第１のインターフェースを介して前記表示装置へ接続の確認を行う第１の接続確認信号を送信し、当該第１の接続確認信号に対する応答信号を受信し、
前記第２のインターフェースを介して前記表示装置へ接続の確認を行う第２の接続確認信号を送信し、当該第２の接続確認信号に対する応答信号を受信し、
前記第１の接続確認信号に対する応答信号の受信と前記第２の接続確認信号に対する応答信号の受信との間隔が所定の範囲内であった場合に、前記表示装置と前記再生装置とが前記第１のインターフェース及び前記第２のインターフェースで接続されていると判定することを特徴とする再生装置。
【請求項８】
請求項７の再生装置であって、
前記所定の間隔は、１〜１０００ｍｓｅｃ±１〜２０ｍｓｅｃであることを特徴とする再生装置。
【発明の詳細な説明】
【技術分野】
【０００１】
技術分野は、映像信号の送受信に関する。
【背景技術】
【０００２】
デジタルテレビは放送波を受信して表示するだけでなく、様々な伝送手段を通じて接続された外部映像出力機器から再生映像信号を受信して表示する使い方もまた一般的である。デジタルテレビと外部映像音声機器とを接続する非圧縮デジタルインターフェースとして、ＨＤＭＩ（High-Definition Multimedia Interface）（HDMI Licensing、 LLCの登録商標）が知られている。ＨＤＭＩは映像音声信号の伝送方式であるＴＭＤＳ（Transition Minimized Differential Signaling）信号を伝送するインターフェースと、機器制御信号を伝送するＣＥＣ（Consumer Electronics Control）インターフェースから成る。また、デジタルテレビと外部映像音声機器とをイーサネット(富士ゼロックス株式会社の登録商標)を使ったインターフェースで接続するＤＬＮＡ（Digital Living Network Alliance）（Digital Living Network Allianceの登録商標）も普及が進んでいる。
【０００３】
特許文献１には、「ＨＤＭＩとＤＬＮＡの両方で外部映像音声機器がデジタルテレビに接続されている場合で、ネットワークの帯域が他のネットワーク機器に使用されていると、ＤＬＮＡではコンテンツを再生できないという問題がある」ことを課題とし、その解決手段として「ネットワークインターフェースと、映像音声データの伝送のためのデジタルインターフェースを有する受信装置であって、前記ネットワークインターフェースに接続するネットワークにある映像音声送信装置を検出する手段と、前記デジタルインターフェースに接続する映像音声送信装置を検出する手段と、前記デジタルインターフェースからの映像音声データ及び前記ネットワークインターフェースからの映像音声データを受信処理する受信手段と、前記映像音声送信装置が前記ネットワークインターフェースを介して接続している場合であっても前記デジタルインターフェースに接続されている場合には、前記デジタルインターフェースを介して前記映像音声送信装置から映像音声データを受信し、前記映像音声送信装置が前記デジタルインターフェースに接続されておらず前記ネットワークインターフェースを介して接続している場合には、前記ネットワークインターフェースを介してデータを受信するように前記ネットワークインターフェース及び前記デジタルインターフェースを制御する制御手段とを具備すること」が記載されている。
【先行技術文献】
【特許文献】
【０００４】
【特許文献１】特開２００９−２００７８８号公報
【発明の概要】
【発明が解決しようとする課題】
【０００５】
しかし、特許文献１では、複数の機器が複数のインターフェースで接続され、その複数のインターフェースの一部のインターフェースのみで実現可能な機能が存在する場合については考慮されていない。また、複数の機器間における接続確認の正確性については考慮されていない。
【課題を解決するための手段】
【０００６】
上記課題を解決するために、例えば特許請求の範囲に記載の構成を採用する。
本願は上記課題を解決する手段を複数含んでいるが、その一例を挙げるならば、再生装置から送信された映像情報を受信し、当該映像情報を表示する表示装置において、再生装置との間で情報の送受信を行う第１のインターフェースと、再生装置との間で情報の送受信を行う第２のインターフェースと、第１のインターフェース及び／または第２のインターフェースで受信した映像情報を表示する表示回路と、を有し、第１のインターフェースを介して再生装置へ接続の確認を行う第１の接続確認信号を送信し、当該第１の接続確認信号に対する応答信号を受信し、第２のインターフェースを介して再生装置へ接続の確認を行う第２の接続確認信号を送信し、当該第２の接続確認信号に対する応答信号を受信し、第１の接続確認信号に対する応答信号及び第２の接続確認信号に対する応答信号を受信した場合、再生装置との間において第１のインターフェース及び第２のインターフェースを利用する機能を利用可能とすることを特徴とする。
【発明の効果】
【０００７】
上記手段によれば、複数の機器が複数のインターフェースで接続されている場合に、ユーザの利便性を向上させることが可能となる。
【図面の簡単な説明】
【０００８】
【図１】実施例の機器の構成の一例
【図２】実施例のフローチャートの一例
【図３】実施例のメッセージ交換の説明図
【図４】実施例のメッセージ交換で新規設定されるメッセージの説明図
【図５】実施例のメッセージ交換で新規設定されるメッセージの説明図
【図６】実施例の機器におけるブロック図の一例
【図７】実施例のフローチャートの一例
【図８】実施例の表示装置のＥＤＩＤ記述の一例
【図９】実施例の表示装置のＥＤＩＤ記述の一例
【図１０】実施例の表示装置における表示画面の一例
【発明を実施するための形態】
【０００９】
以下、実施例について説明する。図１は、本実施例の機器の構成の一例を示す図である。テレビ等の表示装置１０とＢＤプレーヤー等の再生装置１１はＨＤＭＩケーブル１０１で接続されている。また、表示装置１０はイーサネットケーブル１０３を介してネットワークハブ１２と接続し、再生装置１１はイーサネットケーブル１０２を介してネットワークハブ１２と接続し、結果として表示装置１０と再生装置１１はイーサネットワークで接続されている。
【００１０】
図１ではＨＤＭＩとイーサネットが別端子からのラインで接続される例について示しているが、ＨＤＭＩではＨＤＭＩケーブルにイーサネット接続機能を持たせたＨＤＭＩ  Ｅｔｈｅｒｎｅｔ  Ｃｈａｎｎｅｌ（ＨＥＣ）も規定しており、このＨＥＣ機能を備える場合はＨＤＭＩケーブル１０１のみでＨＤＭＩとイーサネットの両方が接続される。
【００１１】
図１の構成のように、複数の機器が制御信号を伝送できる複数のインターフェースで接続されていると、一部のインターフェースのみで実現可能な機能が存在する場合がある。例えば、タイムバーを表示して、視聴者が任意の場所から再生を開始する位置を指定するような機能(再生開始位置指定機能)は、ＨＤＭＩのＣＥＣメッセージには規定が無く、ＤＬＮＡでのみ実現できる機能である。
【００１２】
また、複数の機器が複数のインターフェースで接続されていることを確認する場合に、ネットワークからの悪意のある侵入者や誤作動機器からの妨害が課題となる。
【００１３】
次に、表示装置１０と再生装置１１の構成について、図６を用いて説明を行う。なお、図６における各ブロックは必ずしも物理的に分かれている必要は無く、複数のブロックの機能を１つのＣＰＵで実現できるように構成してもよい。例えば、再生装置１１の３０３、３０５、及び３０７の機能をは１つのＣＰＵで実行する等、必要に応じて適宜構成することが可能である。
【００１４】
映像信号再生部３０４は、記録媒体（例えばＨＤＤ（ハードディスクドライブ）や光ディスク、半導体メモリ（例えばフラッシュメモリ）等）に記録された映像情報、地上波や衛星波を介して図示しないアンテナから受信した放送信号に含まれる映像情報、あるいはネットワークを介して受信した映像情報等を再生する。再生装置１１が記録媒体を搭載する場合、記録媒体を再生装置に内蔵する構成、着脱可能な記録媒体（光ディスクやメモリーカード、リムーバブルハードディスク等）を接続可能なドライブ装置を備える構成、あるいは内蔵の記録媒体及びドライブ装置の両方を備える構成を採用可能である。
【００１５】
ＨＤＭＩ信号処理部３０３は、ＨＤＭＩを介して伝送可能な信号（以下、ＨＤＭＩ信号と呼ぶ。）を生成する。
【００１６】
ＤＬＮＡ信号処理部３０５は、ＤＬＮＡを介して伝送可能な信号（以下、ＤＬＮＡ信号と呼ぶ。）を生成する。
【００１７】
ＨＤＭＩ送受信部３０６、３０９は、ＨＤＭＩ端子３０１、３０２を介してＨＤＭＩ信号の送受信を行う。
【００１８】
ＤＬＮＡ送受信部３０８、３１１は、イーサネット端子３１５、３１６を介してＤＬＮＡ信号の送受信を行う。
【００１９】
制御部３０７は、再生装置１１の各ブロックを制御する。
【００２０】
制御信号受信部３１４は、ユーザの指示が入力されるリモコン３１７からの信号を受信する。なお、図６においてはリモコン３１７が示されているが、リモコン３１７に加えて、あるいは替えて、表示装置１０本体に備えられたボタン、リモコンの機能を有する携帯端末（スマートフォンやタブレット端末等）を用いてユーザの指示が入力される構成であってもよい。
【００２１】
表示回路３１３は、入力される映像信号に基づいて映像を表示するディスプレイ（例えば、液晶ディスプレイ、プラズマディスプレイ、有機ＥＬディスプレイ等）である。
【００２２】
制御部３１２は、表示装置１０の各部から送信される信号の処理、表示装置１０の各部の制御を行う。
【００２３】
接続確認信号タイミング判定部３１０における処理については後述する。
【００２４】
本実施例においては、表示装置１０と再生装置１1はそれぞれのＨＤＭＩ端子３０１と３０２との間をＨＤＭＩケーブル１０１で接続され、またそれぞれのイーサネット端子３１５と３１６との間はネットワークハブ１２を介してイーサネットケーブル１０２と１０３で接続される。
【００２５】
次に、図２を用いて実施例における処理の一例を説明する。まず、制御部３０７が、ＨＤＭＩ送受信部３０６、ＤＬＮＡ送受信部３０８を介してＨＤＭＩによる接続（以下、「ＨＤＭＩ接続」と呼ぶ。）とＤＬＮＡによる接続（以下、「ＤＬＮＡ接続」と呼ぶ。）を確認する（Ｓ２０２、Ｓ２０３）。これらは同時に行われてもよいし、どちらが先であってもかまわない。
【００２６】
ＨＤＭＩ接続の確認には、表示装置１０と再生装置１１とが相手機器の性能確認や物理アドレス・論理アドレスの設定等が含まれる。ＤＬＮＡを介した信号の送受信とＨＤＭＩを介した信号の送受信との双方を用いるモード（以下、「同時利用モード」と呼ぶ。）に対応できるか否かの性能確認も含めてもよい。なお、「同時利用モード」においては常にＤＬＮＡ及びＨＤＭＩの両方を介した通信が行われている必要はなく、これらのインターフェースを交互に用いる場合等、ＤＬＮＡ及びＨＤＭＩの両方を利用する状態も「同時利用モード」に含まれる。また、以下の実施例ではＤＬＮＡ及びＨＤＭＩの両方を利用することを「同時利用」あるいは「同時使用」とも表現する。
【００２７】
ＤＬＮＡ接続の確認では、ＩＰアドレス確認等を行う。同時利用モードに対応できるか否かの性能確認も含めてもよい。尚、同時利用モードに対応可能であるか否かはＨＤＭＩ接続の確認またはＤＬＮＡ接続の確認の少なくともどちらか一方で確認すればよい。
【００２８】
Ｓ２０２とＳ２０３でＨＤＭＩ接続、ＤＬＮＡ接続双方の確認後、同時利用モードが選択可能な状態にされる（Ｓ２０４）。その状態で利用者が表示装置１０のリモコン３１７により同時利用モードを用いて再生装置１１から送信される映像を表示装置１０で視聴することを選択すると（Ｓ２０５）、表示装置１０の制御信号受信部３１４がリモコン３１７からの信号を受信し、当該受信した信号に基づいて制御部３１２はＨＤＭＩ経由、またはＤＬＮＡ経由で再生装置１１に対して接続確認信号の発信を命令する（Ｓ２０６）。
【００２９】
再生装置１１の制御部３０７は、ＨＤＭＩ信号処理部３０３に対して接続確認信号の送信を命令し、ＨＤＭＩ信号処理部３０３からＨＤＭＩ送受信部３０６を介してＨＤＭＩ接続確認信号が表示装置１０へ発せられると、当該接続確認信号は表示装置１０のＨＤＭＩ送受信部３０９で受信され、接続確認信号タイミング判定部３１０へ送られる（Ｓ２０７）。
【００３０】
その後、あらかじめ設定した所定の間隔、例えば表示装置１０が２つの信号の受信を開始する時点の時間差が１００±１０ｍｓｅｃとなるような間隔の後(Ｓ２０８)、再生装置１１の制御部３０７は、ＤＬＮＡ信号処理部３０５に対して接続確認信号の送信を命令し、ＤＬＮＡ信号処理部３０５からＤＬＮＡ送受信部３０８を介してＤＬＮＡ接続確認信号が表示装置１０へ発せられると、当該接続確認信号は表示装置１０のＤＬＮＡ送受信部３１１で受信され、接続確認信号タイミング判定部３１０へ送られる（Ｓ２０９）。接続確認信号タイミング判定部３１０において、所定の間隔、あるいは所定の間隔に対して許容できる誤差範囲と判断できる間隔で両者の接続確認信号が受信できたと判定されると、ＨＤＭＩとＤＬＮＡとが同じ機器に接続していると判定される。
【００３１】
ＨＤＭＩとＤＬＮＡとが同じ機器に接続していると判定されると、表示装置１０の制御部３１２は同時利用モードを開始することを表示装置１０および再生装置１１の各部に伝達する（Ｓ２１０）。利用者は表示装置１０のリモコン３１７等から同時利用モードに関する制御命令を出し(Ｓ２１１)、映像・音声の視聴が開始される（Ｓ２１２）。
【００３２】
このように、２つの機器を接続するインターフェースとしてＨＤＭＩとＤＬＮＡとの両方において接続を確認してから同時利用モードを使用可能とすることで、第三者からの不正なアクセスや誤作動を防止しつつ連携制御機能を拡大することが可能となる。さらに、ＨＤＭＩにおける接続の確認とＤＬＮＡにおける接続の確認との間隔に基づいて２つの機器間における接続の可否を判定することで、判定の正確性を向上させることができる。
【００３３】
次に、図３を用いて本実施例におけるＣＥＣメッセージ（ＨＤＭＩのＣＥＣインターフェースで伝送されるメッセージ）及びＤＬＮＡメッセージ（ＤＬＮＡで伝送されるメッセージ）の交換を説明する。
【００３４】
表示装置１０と再生装置１１がＨＤＭＩケーブルで接続されると、再生装置１１の制御部３０７がＨＤＭＩ送受信部３０６を介して表示装置１０の特性情報が記述されたＥＤＩＤ（Enhanced Extended Display Identification Data）を読み込んで再生装置１１自信の物理アドレス”Ａ．Ｂ．Ｃ．Ｄ”を取得する。
【００３５】
次に再生装置１１の制御部３０７はＣＥＣメッセージで<Polling  Message＞をＣＥＣが接続されている全機器へ出しPlayback 1を示す論理アドレス"4"を持つ機器が既に存在しているかどうかを確認する（Ｓ３０１）。
【００３６】
再生装置１１の制御部３０７は同ＣＥＣメッセージへの応答が無いことを確かめて論理アドレス"4"を再生装置１１の論理アドレスとして取得する。この論理アドレスはメッセージの送信元と受信先を示す論理アドレスとして、ＣＥＣメッセージのヘッダに記述される。
【００３７】
物理アドレスと論理アドレスを取得した後、再生装置１１の制御部３０７はＨＤＭＩ送受信部３０６を介してＣＥＣメッセージで＜Report Physical Address＞で取得した物理アドレスと再生装置１１機器種別をPlayback Deviceを意味する"4"をＣＥＣで接続された全機器へ伝える（Ｓ３０２）。
【００３８】
次に、図２のＳ２０２に相当するＣＥＣメッセージ交換の一例を説明する。表示装置１０の制御部３１２はＣＥＣメッセージで＜Give Device Power Status＞で再生装置１１の電源状態を問合せる（Ｓ３０３）。再生装置１１の制御部３０７はそれに対してＣＥＣメッセージで＜Report Power Status＞ [“Standby”]と待機状態であることを返す（Ｓ３０４）。
【００３９】
このように、再生装置１０と表示装置１１とが問合せメッセージと応答メッセージを交換することによりＨＤＭＩによる接続が確認される。交換するメッセージは上記の電源状態問合せだけでなく、使用言語設定状態の確認など、他のＣＥＣメッセージでもよい。
【００４０】
次に、図２のＳ２０３に相当するＤＬＮＡメッセージ交換の一例を図３で説明する。表示装置１０の制御部３１２はイーサネットへUPnP(Universal Plug and Play、UPnP Implementers Corporationの登録商標)に規定される＜Search request with M-SEARCH＞メッセージを出してイーサネットに繋がるプレーヤー機能を持った機器へ呼びかける（Ｓ３０５）。再生装置１１はこの呼びかけに対し、イーサネットで＜Search response＞メッセージを返すことでイーサネットによる接続が確認される（Ｓ３０６）。
【００４１】
次に、図２のＳ２０４に相当するメッセージ交換の一例を図３で説明する。表示装置１０の制御部３１２は同時利用モードの状態を問合せるＣＥＣメッセージ＜Request  DLNA Control＞["0"]を再生装置１１に送信する（Ｓ３０７）。それに対して再生装置１１の制御部３０７は同時利用モードに関する応答を示すＣＥＣメッセージ＜Report  DLNA Control＞を表示装置１０に送信する（Ｓ３０８）。これらのメッセージ交換によりＨＤＭＩとＤＬＮＡの同時利用できるかどうかが確認できる。この確認は図２のＨＤＭＩ接続確認Ｓ２０２の１ステップとして行ってもよい。＜Request  DLNA Control＞、＜Report  DLNA Control＞の具体的な内容については図４、５を用いて後述する。
【００４２】
これらのＣＥＣメッセージ<Request DLNA Control> と<Report  DLNA Control>は、規格として定義するか、またはベンダ独自メッセージ<Vender Command>として定義するとよい。規格として定義すれば、表示装置１０と再生装置１０とが異なるメーカの製品であっても本実施例で説明する処理を実現可能である。
【００４３】
次に、ＣＥＣメッセージ<Request DLNA Control>の一例を図４に示す。"0"はＨＤＭＩとＤＬＮＡ同時使用状態の問い合わせであり、同時使用状態の変更を要求しない。"1"はReservedとして将来の利用に備える。"2"は同時利用モードの解除を、"3"は同時利用モードの開始を要求するものである。尚、同時利用モードで使用できるＤＬＮＡメッセージ別に引数を割り当ててもよいし、複数のＤＬＮＡメッセージをグループ化してそれぞれの同時利用モードでの使用可否を制御する引数を設けてもよい。
【００４４】
次に、ＣＥＣメッセージ<Report  DLNA Control>の一例を図５に示す。"0"は同時利用モード実行能力無し、を示す。"1"はReservedとして将来の利用に備える。"2"と"3"は同時利用モードに対応可能であることを示した上で、"2"は解除中又は一時的に利用不可能であることを、"3"は同時利用モードによる制御中であることを示している。このような引数割当てを行うと、引数を２進数で表した場合、bit 0が同時利用モードの使用可否を、bit 1が同時利用モードの対応可否を示すことになり、わかりやすく誤使用の無いシステム構築が可能となる。
【００４５】
なお、図４の引数として、同時利用モードで使用できるＤＬＮＡメッセージ別または複数のＤＬＮＡメッセージをグループ化してそれぞれの同時利用モードでの使用可否を制御する引数を設ける場合は、それに対応して図５の引数も設けると便利である。
【００４６】
次に、Ｓ２０６に相当するメッセージ交換の一例を図３で説明する。表示装置１０の制御部３１２はＨＤＭＩ送受信部３０９を介してＣＥＣメッセージ＜Request  DLNA Control＞[”3”]で、同時利用モードの開始を要求する（Ｓ３０９）。ＨＤＭＩ送受信部３０６を介してこの信号を受けた再生装置１１は同時利用モードを開始し、ＣＥＣメッセージ＜Report  DLNA Control＞[”3”]で同時利用モードに入ったことを報告する（Ｓ３１０）。
【００４７】
次に、Ｓ２０７〜Ｓ２１０に相当するメッセージ交換の一例を図３で説明する。再生装置１１の制御部３０７はＨＤＭＩ送受信部３０６を介して接続確認信号としてもう一度ＣＥＣメッセージ＜Report  DLNA Control＞[”3”]を送信する（図３のＳ３１１、図２のＳ２０７）。なお、ＣＥＣメッセージＳ３１１を省略してＳ３１０で代用させてもよいが、表示装置１０側がＳ３１０を受信することでＳ３１１およびＳ３１２の受信スタンバイ状態に移行する必要がある場合は、Ｓ３１０およびＳ３１１の２回に分けてＣＥＣメッセージ＜Report  DLNA Control＞[”3”]を送信する。
【００４８】
さらに再生装置１１の制御部３０７は設定された所定の間隔、例えば１００±１０ｍｓｅｃをあけて（図３のＳ２０８）、ＤＬＮＡメッセージ<HDMI Concurrent usage>をイーサネットで送信する（図３のＳ３１２、図２のＳ２０９）。ＤＬＮＡメッセージ<HDMI Concurrent usage>はＨＤＭＩにも同時に繋がる機器がＤＬＮＡでも繋がっていることを示すメッセージとして規定する。
【００４９】
表示装置１０は、このＤＬＮＡメッセージ<HDMI Concurrent usage>Ｓ３１２とＣＥＣメッセージ＜Report  DLNA Control＞[”3”] Ｓ３１１の受信間隔が設定された間隔である１００±１０ｍｓｅｃであることをもって、ＨＤＭＩとＤＬＮＡが同じ再生装置と接続していると認定し、続く操作を同時利用モードで行うことを許可する（図２のＳ２１０）。
【００５０】
表示装置１０は、ＣＥＣメッセージとＤＬＮＡメッセージの組合せで同じ再生装置と接続されていると判断するため、両者のメッセージのヘッダに含まれるＨＤＭＩの論理アドレスとＩＰアドレスの対応を知ることができる。
【００５１】
なお、メッセージの送信および受信間隔は、両メッセージの送信開始タイミングで定義すると送信側の制御がシンプルになるメリットがある。また、先のメッセージの終了タイミングから後のメッセージの開始タイミングで定義すると受信側の間隔測定がシンプルになるメリットがある。両メッセージの終了タイミング同士で行えば両メッセージ共が正しく受信できた場合のみ測定すればよく、測定の無駄を最小にすることができるメリットがある。あらかじめ測定タイミングを決めておけば、どの定義を用いてもよく、通信環境によって測定タイミングを変えてもよい。
【００５２】
次に、図２のＳ２１２以降に交換されるメッセージの一例を図３で説明する。表示装置１０の制御部３１２から再生装置１１へ映像信号を要求するＣＥＣメッセージ<Request Active Source> を送信（Ｓ３１３）すると、それに対して再生装置１１の制御部３０７は映像信号を出力し始めるＣＥＣメッセージ<Active Source>を返して（Ｓ３１４）映像信号を出力開始する。次いで実際のコンテンツ視聴制御として、表示装置１０の制御部３１２が早送り再生のＣＥＣメッセージ<Play>[“Forward”]（Ｓ３１５）を送り映像再生を開始する。続いて、再生位置を指定するＤＬＮＡメッセージ<CurrentTrack>が表示装置側１０の制御部３１２から送信され（Ｓ３１６）、再生装置はこの指定された再生位置へジャンプして映像信号を再生し始める。
【００５３】
上述した本実施例におけるＨＤＭＩとＤＬＮＡとが同じ機器に接続していることの確認方法は、他の確認方法を妨げるものではなく、他の確認方法と併用可能である。他の確認方法と併用することにより、ＨＤＭＩとＤＬＮＡとが同じ機器に接続していることの確認の精度を高めることも可能である。他の確認方法におけるメッセージのやり取りは、図３において、例えばＳ３０９の直前などに行うことができる。
【００５４】
上述した接続を確認する信号は、本実施例で説明した信号以外であっても、接続を確認できるものであればその他の信号を設定しても良い。
【００５５】
次に、同時利用モードを利用した処理の一例を説明する。例えば、再生開始位置指定機能のみＤＬＮＡの機能を利用し、その他の制御や映像信号の伝送はＨＤＭＩで行うという内容の同時利用モードであれば、利用者はリモコン等から制御信号を表示装置１０の制御信号受信部３１４に伝える。
【００５６】
制御信号受信部３１４は制御部３１２に制御信号内容を伝える。制御部３１２は再生開始位置に関する情報を表示装置１０のＤＬＮＡ送受信部３１１に伝え、再生開始位置以外の情報をＨＤＭＩ送受信部３０９に伝える。
【００５７】
ＤＬＮＡ送受信部３１１は再生開始位置に関する情報をＤＬＮＡメッセージとしてイーサネット端子３１６から出力し、ＬＡＮケーブル１０３、ハブ１２、ＬＡＮケーブル１０２を通してイーサネット端子３１５に入力される。当該ＤＬＮＡメッセージをイーサネット端子３０２から受けたＤＬＮＡ送受信部３０８は、当該ＤＬＮＡメッセージを制御部３０７に伝える。
【００５８】
また、 ＨＤＭＩ送受信部３０９は再生開始位置以外の情報をＨＤＭＩ端子３０２、ＨＤＭＩケーブル１０１のＣＥＣラインを通じてＨＤＭＩ端子３０１に入力する。当該情報をＨＤＭＩ端子３０１から受けたＨＤＭＩ送受信部３０６は、当該情報を制御部３０７に伝える。
【００５９】
ＤＬＮＡ及びＨＤＭＩを経由して情報を受け取った制御部３０７は、ＨＤＭＩ信号処理部３０３に対して受け取った情報に従ったＨＤＭＩ映像信号の作成・伝送を命令する。そして、ＨＤＭＩを介して映像情報は表示回路３１３にまで伝送され、映像が表示される。
【００６０】
次に、上述した「所定の間隔」についてより詳細に説明する。上述した「所定の間隔」は、できるだけ短いほど、ネットワークに繋がる別の機器がこの間隔の間に偽りの接続確認信号を送信するようなことが困難になることから好ましい。しかし、それぞれのインターフェースに通信速度を低下させる要因が存在する等の状況も考えられるので、その分を勘案した間隔を設定する必要がある。
【００６１】
「所定の間隔」が１秒以上だとユーザへのレスポンスが悪くなり、また１ｍｓｅｃ以下だと他のメッセージとの衝突や中継によるメッセージの遅れに対応できなくなるおそれがある。よって「所定の間隔」は１ｍｓｅｃ以上１ｓｅｃ以下が望ましい。
【００６２】
また、許容範囲も１ｍｓｅｃ以下では他のメッセージとの衝突や中継によるメッセージの遅れに対応できなくなるおそれがある。上限はハッキングに対する強度を考慮すると２０ｍｓｅｃ程度までに抑える必要がある。以上を踏まえて「所定の間隔」は「１〜１０００ｍｓｅｃ±１〜２０ｍｓｅｃ」に設定することが好ましい。但し、本発明における「所定の間隔」はこれに限定されず、「１〜１０００ｍｓｅｃ±１〜２０ｍｓｅｃ」以外であっても本発明の課題は解決可能であり、本発明の期待する効果が得られることは言うまでも無い。
【００６３】
この間隔の設定は表示装置と再生装置間の各インターフェースの通信環境に左右される。そこで、各インターフェース間の通信速度等の通信環境を測定し、その結果を元に、ＨＤＭＩとＤＬＮＡの接続確認信号の間隔をどの程度まで短縮できるかを判断した上で、その通信環境に応じた間隔を設定しても良い。
【００６４】
所定の間隔を変える場合は、変更後の所定の間隔を新たに定義するＣＥＣメッセージ又はＤＬＮＡメッセージで伝送しておくとよい。また、ＣＥＣメッセージ<Report DLNA Control>["3"] Ｓ３１１に所定の間隔を示す引数を追加してもよい。ＣＥＣメッセージはＨＤＭＩで接続された機器群の中でしか伝達されない特徴があり、ＨＤＭＩで接続されていない機器群へは「所定の間隔」の情報が伝達されないので、接続確認の信頼性が向上する。
【００６５】
なお、上記実施例では、先にＨＤＭＩの接続確認、後からＤＬＮＡの接続確認をする、としたが、この順番はどちらが先であってもかまわない。ただし、ＤＬＮＡの接続確認の方が通信環境によって通信にかかる時間がばらつくことが多いため、ＤＬＮＡの接続確認を先にすると許容範囲を広めに取る必要がある。そうすると、ハッキング等の不正な手段に対する強度を弱めることから、ＨＤＭＩの接続確認を先に行う方が望ましい。
【００６６】
また、上記実施例では、接続確認を再生装置１１から発信し、表示装置１０が受信する、としたが、これはどちらが発信側、受信側となってもかまわない。
【００６７】
ＨＤＭＩの接続確認およびＤＬＮＡの接続確認は各１回である必要は無く、信頼性を高めるために複数回繰り返してもかまわない。例えば「２秒間隔で２回行って２回とも同じ機器に接続されていると判定されなければならない」、あるいは「１秒間隔で４回行って３回以上同じ機器に接続されていると判定されなければならない」、などの基準を設け、この基準をクリアしなければＨＤＭＩ／ＤＬＮＡ同時利用モードは開始できない、などというように構成してもよい。
【００６８】
複数回の接続確認によって、例えばイーサネットに繋がり、かつ同時利用モードを利用する機器とは別の機器が、偶然１回だけ適切なタイミングで偽の接続確認信号を送信することに成功したとしても、複数回適切なタイミングで偽の接続確認信号を送信することはより困難になる。
【００６９】
また、通信エラーを考慮すると、例えば１０回送信して、受信側は２番目のメッセージが受信できなかった場合を除き複数回（例えば２回）連続して所定の間隔であった場合に同時利用モードが利用可能であると判定してもよい。同時利用モードを解除する際は、例えば５回以上２番目のメッセージが届かない場合と、２番目のメッセージが受信できなかった場合を除いて複数回（例えば２回）連続して所定の間隔で無い場合とするとよい。これにより、通信エラーが多発するＣＥＣメッセージ又はＤＬＮＡメッセージの環境下でも安定な動作を実現できる。
【００７０】
また、例えば片方のインターフェースで「ある間隔」で複数回接続確認信号を送信し、もう片方のインターフェースで前記「ある間隔」の数値情報を伝えるように構成してもよい。また、例えば片方のインターフェースで3回接続確認信号を送信し、１回目と２回目の間隔の時間よりも２回目と３回目の間隔の時間を「ある整数」倍の時間とし、もう片方のインターフェースで「ある整数」を伝えるように構成しても良い。このように、片方のインターフェースで接続確認信号を送信し、もう片方のインターフェースでその送信方法に関する情報を伝える、という方法で複数のインターフェースが同一の機器に接続していることを確認しても良い。
【００７１】
上記実施例においては、再生開始位置に関する制御信号をＤＬＮＡで、それ以外の情報をＨＤＭＩで送受信する例について示したが、ＨＤＭＩ、ＤＬＮＡどちらでも行うことができる機能（例えば映像信号の送受信）を、それぞれのインターフェースの通信環境に応じて、どちらを使うか決定するように構成してもよい。
【００７２】
図７に映像信号の送受信を各インターフェースの通信環境に応じて選択する際の処理の一例を示す。Ｓ２０１〜Ｓ２０９は図２と同様である。Ｓ２０９の後、ＨＤＭＩ、ＤＬＮＡ各接続確認信号の送受信の状況から各インターフェースの通信環境を判定する（Ｓ４０１）。この判定結果から、より通信環境が良好と判断されるインターフェースを利用して映像信号を送信するインターフェースを指定する命令を表示装置から再生装置に対して出す（Ｓ４０２）。
【００７３】
各インターフェースの通信環境を判定して映像信号を送信するインターフェースを指定する命令を出す処理は、図６中の接続確認信号タイミング判定部３１０にその機能を持たせる、別途この各インターフェースの通信環境を行う処理部を設けその処理部において行う、あるいは制御部３１２が行うようにすればよい。
【００７４】
映像信号を送信するインターフェースを指定する命令はＨＤＭＩのＣＥＣメッセージか、ＤＬＮＡメッセージで再生装置の制御部３０７に伝えられる。制御部３０７は命令に従ってＨＤＭＩ信号処理部３０３またはＤＬＮＡ信号処理部３０５に対して映像信号の送信に関する命令を出す。この一連の操作によって通信環境のより良いインターフェースを用いた映像信号の送受信が可能となる。
【００７５】
次に、表示装置から再生装置に対して、同時利用モードに対応可能であることを通知するＥＤＩＤの記述例を図８に示す。Ｂｙｔｅ６・Ｂｉｔ２の位置にＤＬＮＡと同時に使用できるか否かを示すＤＬＮＡ_Ｕｓｅという項目を設け、ＨＤＭＩ／ＤＬＮＡ同時使用が可能であれば１とする。このＤＬＮＡ＿Ｕｓｅが１であれば、その同時利用の内容をＢｙｔｅ９のＢｉｔ５〜７に設定するＤＬＮＡ＿Ｓｅａｒｃｈ＿Ｐｒｏｇｒａｍ、ＤＬＮＡ＿Ｂｒｏｗｓｅ＿Ｈｉｅｒａｒｃｈｙ、ＤＬＮＡ＿ＰＬＡＹ＿Ｐｏｓｉｔｉｏｎに記載する。
【００７６】
この例ではＤＬＮＡ＿Ｓｅａｒｃｈ＿ＰｒｏｇｒａｍはＤＬＮＡの録画番組検索機能を示し、ＤＬＮＡ＿Ｂｒｏｗｓｅ＿ＨｉｅｒａｒｃｈｙはＤＬＮＡのフォルダ階層閲覧機能を示し、ＤＬＮＡ＿ＰＬＡＹ＿ＰｏｓｉｔｉｏｎはＤＬＮＡの再生開始位置指定機能について利用可能かどうかを示すものである。
【００７７】
これらの記載例を図９に示す。例えば「ＤＬＮＡの再生開始位置指定機能のみ使用可能」であればＢｉｔ７は「１」、Ｂｉｔ６および５は「０」となる。図８中ではＤＬＮＡの３つの機能についての適用可否についてＢｙｔｅ９の３Ｂｉｔを割り当てているが、ＨＤＭＩのＣＥＣラインとＤＬＮＡの制御機能を勘案して補完できる機能の数を勘案してこの部分のＢｉｔ数を割り当てればよい。
【００７８】
また、表示装置から再生装置、あるいは逆に再生装置から表示装置に対してＨＤＭＩ／ＤＬＮＡ同時使用を行うことができることを通知するには、ＨＤＭＩのＣＥＣメッセージを利用する、またはＤＬＮＡメッセージを利用しても良い。この場合も、ＨＤＭＩ／ＤＬＮＡ同時使用が可能であること、またその際に使用することができる機能に関する信号を設定する。その際、例えば図９と同様の信号を使用する。
【００７９】
次に、表示装置１０における表示画面の一例を説明する。図１０に、タイムバーを表示して、視聴者が任意の場所から再生を開始する位置を指定する機能をＤＬＮＡを用いて行い、映像信号および制御命令の伝送をＨＤＭＩを介して行う場合の画面表示の一例を示す。
【００８０】
図２のＳ２１０の処理が終了した後、ＨＤＭＩを介して再生装置から再生可能な番組一覧の情報を受信、表示して視聴者は視聴したい番組を選択する。その後、表示画面にタイムバーによる再生位置指定機能（ＤＬＮＡを利用する機能）を利用するか否かを問合せるメッセージを表示する。この表示においては、通信環境によって動作が不安定になることの警告等、「同時利用モード」を利用する場合に考慮すべき点等を表示すると、視聴者の利便性が向上する。視聴者が図１０の「はい」を選択すると、表示画面にタイムバーによる再生位置指定機能を利用可能とし、「同時利用モード」が開始される。
【００８１】
このような表示を行うことにより、「同時利用モード」の利便性を向上させることができる。
【００８２】
以上の方法によれば、複数のインターフェースを同時に用いて映像機器間の連携制御を行う際に、確実に複数のインターフェースが同一の接続先と連携制御情報をやりとりし、インターフェースに繋がる別の機器から連携制御を妨げるような信号を識別して排除できるようになる。すなわち、複数のインターフェースのうちの一つに繋がり、かつ複数のインターフェースを同時に利用しようとする機器とは別の機器が、本来映像信号や制御情報を送受信すべき機器に成りすまして接続確認信号を送信してきても、その別の機器は複数のインターフェースの内の別のインターフェースで接続確認信号が送信されたタイミングを知ることはできないため、タイミング良く接続確認信号を送信することは困難となる。
【００８３】
本実施例では単に接続確認信号を送るだけでなく、そのタイミングが適格でなければならないため、精度良く複数のインターフェースが同一の機器と接続していることを確認できる。また、複数のインターフェースに繋がる機器同士が、互いに複数のインターフェースを同時に使用できるかどうかを知ることができる。
【符号の説明】
【００８４】
１０：表示装置、１１：再生装置、１２：ネットワークハブ、１０１：ＨＤＭＩケーブル、１０２、１０３：イーサネットケーブル、３０１、３０２：ＨＤＭＩ端子、３０３：ＨＤＭＩ信号処理部、３０４：映像信号再生部、３０５：ＤＬＮＡ信号処理部、３０６、３０９：ＨＤＭＩ送受信部、３０７：制御部、３０８、３１１：ＤＬＮＡ送受信部、３１０：接続確認信号タイミング判定部、３１２：制御部、３１３：表示回路、３１４：制御信号受信部、３１５、３１６：イーサネット端子、３１７：リモコン
【図１】
2013085052.tif 000003
【図２】
2013085052.tif 000004
【図３】
2013085052.tif 000005
【図４】
2013085052.tif 000006
【図５】
2013085052.tif 000007
【図６】
2013085052.tif 000008
【図７】
2013085052.tif 000009
【図８】
2013085052.tif 000010
【図９】
2013085052.tif 000011
【図１０】
2013085052.tif 000012